(57)【要約】  車両ヘッドランプシステムは、データバスを含む、車両のサポートする電源及び制御システムを含む。センサモジュールは、環境条件に関連する情報又は他の車両及び歩行者の存在及び位置に関連する情報を提供するために、前記データバスに接続可能である。個別ヘッドランプ制御部は、前記車両のサポートする電源及び制御システム、並びにセンサモジュールに、前記バスを通じて接続できる。前記ヘッドランプ制御部は、３０Ｈｚより速い速度で、保持された画像をリフレッシュできる画像フレームバッファを含むことができる。アクティブＬＥＤピクセルアレイは、前記ヘッドランプ制御部に接続でき、前記画像フレームバッファ内に保持された前記画像により定められるパターン及び強度に従い光を投射し、スタンバイ画像バッファは、前記画像フレームバッファに接続でき、規定画像を保持する。
2021527933.tif 000002
【特許請求の範囲】
【請求項１】
ヘッドランプ制御システムであって、
車両のサポートする電源、センサ、及び制御システムに、データバスを通じて接続可能なヘッドランプ制御部であって、前記ヘッドランプ制御部は、保持された画像を３０Ｈｚより速い速度でリフレッシュ可能な画像フレームバッファを含む、ヘッドランプ制御部と、
前記ヘッドランプ制御部に接続され、前記画像フレームバッファ内に保持された前記画像により定められるパターン及び強度に従い光を投射するアクティブＬＥＤピクセルアレイと、
前記画像フレームバッファに接続され、規定画像を保持するスタンバイ画像バッファと、
を含むシステム。
【請求項２】
前記車両のサポートする電源、センサ、及び制御システムは、前記ヘッドランプ制御部の前記画像フレームバッファに提供される画像データを生成するための入力として使用できる、請求項１に記載の車両ヘッドランプシステム。
【請求項３】
前記ヘッドランプ制御部に接続されたローカルセンサモジュールが、前記ヘッドランプ制御部の前記画像フレームバッファに提供される画像データを生成するための入力として使用できる、請求項１に記載の車両ヘッドランプシステム。
【請求項４】
前記ＬＥＤピクセルアレイは、対向車両に向けて放射される光を低減するよう向けられることができる、請求項１に記載の車両ヘッドランプシステム。
【請求項５】
前記ＬＥＤピクセルアレイ内の各ピクセルは、アドレス可能である、請求項１に記載の車両ヘッドランプシステム。
【請求項６】
前記ＬＥＤピクセルアレイのアスペクト比は、選択可能である、請求項１に記載の車両ヘッドランプシステム。
【請求項７】
前記ＬＥＤピクセルアレイは、静的ＬＥＤ照明に隣接して位置付けられる、請求項１に記載の車両ヘッドランプシステム。
【請求項８】
前記フレームバッファは、パルス幅変調器を通じて前記アクティブＬＥＤピクセルアレイに接続される、請求項１に記載の車両ヘッドランプシステム。
【請求項９】
前記画像フレームバッファは、６０Ｈｚ以上の速度で保持された画像をリフレッシュできる、請求項１に記載の車両ヘッドランプシステム。
【請求項１０】
車両ヘッドランプシステムであって、
３０Ｈｚより速い速度で保持された画像をリフレッシュできる画像フレームバッファを有するヘッドランプ制御部であって、画像フレームバッファへの画像は、車両のサポートする電源、センサ、及び制御システムのうちの少なくとも１つにより車両データバスを通じて、及びローカル画像生成モジュールによりローカルデータ接続を通じて提供される、ヘッドランプ制御部と、
前記ヘッドランプ制御部に接続され、前記画像フレームバッファ内に保持された前記画像により定められるパターン及び強度に従い光を投射する、個別にアドレス可能なピクセルを有するアクティブＬＥＤピクセルアレイと、
を含むシステム。
【請求項１１】
画像パターンは、前記車両のサポートする電源、センサ、及び制御システムからのセンサ情報に応答して提供される、請求項１０に記載の車両ヘッドランプシステム。
【請求項１２】
画像パターンは、少なくとも部分的にローカルセンサ情報に応答して提供される、請求項１０に記載の車両ヘッドランプシステム。
【請求項１３】
前記ＬＥＤピクセルアレイ内の各ピクセルは、アドレス可能である、請求項１０に記載の車両ヘッドランプシステム。
【請求項１４】
前記ＬＥＤピクセルアレイのアスペクト比は、選択可能である、請求項１０に記載の車両ヘッドランプシステム。
【請求項１５】
前記ＬＥＤピクセルアレイは、静的ＬＥＤ照明に隣接して位置付けられる、請求項１０に記載の車両ヘッドランプシステム。
【請求項１６】
前記フレームバッファは、パルス幅変調器を通じて前記アクティブＬＥＤピクセルアレイに接続される、請求項１０に記載の車両ヘッドランプシステム。
【請求項１７】
前記画像フレームバッファは、６０Ｈｚ以上の速度で保持された画像をリフレッシュできる、請求項１０に記載の車両ヘッドランプシステム。
【請求項１８】
車両ヘッドランプ制御システムであって、
データバスを含む、車両のサポートする電源、センサ、及び制御システムと、
前記データバスに接続されたセンサモジュールと、
前記バスを通じて、前記車両のサポートする電源及び制御システムに接続された個別ヘッドランプ制御部であって、前記ヘッドランプ制御部は、保持された画像を３０Ｈｚより速い速度でリフレッシュ可能な画像フレームバッファを含む、個別ヘッドランプ制御部と、
前記ヘッドランプ制御部に接続され、前記画像フレームバッファ内に保持された前記画像により定められるパターン及び強度に従い光を投射するアクティブＬＥＤピクセルアレイと、
前記画像フレームバッファに接続され、規定画像を保持するスタンバイ画像バッファと、
を含むシステム。
【請求項１９】
前記車両のサポートする電源及び制御システムは、前記ヘッドランプ制御部に画像データを提供する、請求項１８に記載の車両ヘッドランプシステム。
【請求項２０】
前記センサモジュールが、対向車両を識別し、及び前記ヘッドランプ制御部に送信されるべき画像を選択するために使用できる、請求項１８に記載の車両ヘッドランプシステム。
【請求項２１】
前記ＬＥＤピクセルアレイは、対向車両に向けて放射される光を低減するよう向けられることができる、請求項１８に記載の車両ヘッドランプシステム。
【請求項２２】
前記ＬＥＤピクセルアレイ内の各ピクセルは、アドレス可能である、請求項１８に記載の車両ヘッドランプシステム。
【請求項２３】
前記ＬＥＤピクセルアレイのアスペクト比は、選択可能である、請求項１８に記載の車両ヘッドランプシステム。
【請求項２４】
前記ＬＥＤピクセルアレイは、静的ＬＥＤ照明に隣接して位置付けられる、請求項１８に記載の車両ヘッドランプシステム。
【請求項２５】
前記フレームバッファは、パルス幅変調器を通じて前記アクティブＬＥＤピクセルアレイに接続される、請求項１８に記載の車両ヘッドランプシステム。
【請求項２６】
前記画像フレームバッファは、６０Ｈｚ以上の速度で保持された画像をリフレッシュできる、請求項１８に記載の車両ヘッドランプシステム。
【請求項２７】
車両ヘッドランプシステムであって、
保持された画像を３０Ｈｚより速い速度でリフレッシュ可能な画像フレームバッファを含むヘッドランプ制御部と、
前記ヘッドランプ制御部に接続された個々にアドレス可能なピクセルを備え、前記画像フレームバッファ内に保持された前記画像により定められるパターン及び強度に従い光を投射するアクティブＬＥＤピクセルアレイと、
前記画像フレームバッファに接続され、規定画像を保持するスタンバイ画像バッファと、
を含むシステム。
【請求項２８】
前記制御部は、データバスを通じて、前記画像フレームバッファに少なくとも幾つかの画像を提供する、車両のサポートする電源及び制御システムに取り付けられる、請求項２７に記載の車両ヘッドランプシステム。
【請求項２９】
車両のサポートする電源及び制御システムと関連して使用可能なセンサモジュールであって、対向車両の位置を識別する、センサモジュール、を更に含む請求項２７に記載の車両ヘッドランプシステム。
【請求項３０】
前記ＬＥＤピクセルアレイ内の各ピクセルは、アドレス可能である、請求項２７に記載の車両ヘッドランプシステム。
【請求項３１】
前記ＬＥＤピクセルアレイのアスペクト比は、選択可能である、請求項２７に記載の車両ヘッドランプシステム。
【請求項３２】
前記ＬＥＤピクセルアレイは、静的ＬＥＤ照明に隣接して位置付けられる、請求項２７に記載の車両ヘッドランプシステム。
【請求項３３】
前記フレームバッファは、パルス幅変調器を通じて前記アクティブＬＥＤピクセルアレイに接続される、請求項２７に記載の車両ヘッドランプシステム。
【請求項３４】
前記画像フレームバッファは、６０Ｈｚ以上の速度で保持された画像をリフレッシュできる、請求項２７に記載の車両ヘッドランプシステム。
【発明の詳細な説明】
【技術分野】
【０００１】
［関連出願］
本願は、２０１９年６月２８日出願の米国特許出願番号第１６/４５６,８３５号、２０１９年６月２８日出願の米国特許出願番号第１６/４５６,８４４号、２０１８年１０月２２日出願の欧州特許出願第１８２０１７６３.２号、及び２０１８年９月１０日出願の米国特許出願番号第６２/７２９,２９８号の優先権を主張し、これらの各出願は参照によりその全体がここに組み込まれる。
【０００２】
［技術分野］
本開示は、概して、車両ヘッドランプのための動的照明制御を提供するシステムに関する。特定の実施形態では、当該システムは、適応型走行ビームシステムに適する強度及び空間的に変調された光投射を提供可能なＬＥＤピクセルアレイであり得る。
【背景技術】
【０００３】
夜間の車両ドライバは、対向車両のドライバが眩しくなること、又は安全性を損なう眩しさに晒されることを防ぐために、低指向性ヘッドライトビームパターンを使用することがあり、一方で、対向車両が存在しないときには道路の照明を向上するために、より広い範囲を有する高指向性ビームに切り替える。しかしながら、車両のドライバは、彼らが対向車両を見落とした場合、不注意にも、高指向性ビームパターンで走行し得る。幸いにも、ドライバ支援又は自律動作のためのセンサ技術の広範な利用可能性は、車両ヘッドランプ道路照明の能動的制御を提供するシステムも可能にした。固定又はユーザ制御による照明パターンに依存する代わりに、ヘッドライトビームは、車両及び／又はその周囲からの入力に基づき、自動的に調光され又は方向を変えることができる。例えば、対向車両が識別でき、起こり得る眩しさを制限するためにヘッドライトビームの一部が方向を変えられる。別の例として、歩行者検出又は位置測位システムは、歩行者のいる可能性のある領域を識別するために使用でき、ヘッドライトビームは、歩行者の活動を照らすために方向を変えられる。このような適応型走行ビーム（adaptive  driving  beam  (ADB)）システムは、機械的シールド、ＬＥＤ、デジタルマイクロミラー、及びＬＣＤシャッターシステムを用いて開発されている。
【０００４】
残念ながら、ＬＥＤ又は他の発光体／リダイレクトシステム（例えば、デジタルマイクロミラー又はスキャンレーザ）の大規模アクティブアレイをサポートすることは、困難であり得る。何千個ものピクセルの個々の光強度は、３０〜６０Ｈｚのリフレッシュレートで制御される必要があり得る。このようなデータレートを信頼できる方法で処理できるシステムが必要である。
【発明の概要】
【０００５】
一実施形態によると、車両ヘッドランプシステムは、データバスを含む、車両のサポートする電源及び制御システムを含む。センサモジュールは、環境条件（例えば、１日のうちの時間、又は気象条件）に関連する情報又は他の車両及び歩行者の存在及び位置に関連する情報を提供するために、前記データバスに接続可能である。個別ヘッドランプ制御部は、前記車両のサポートする電源及び制御システム、並びにセンサモジュールに、前記バスを通じて接続できる。前記ヘッドランプ制御部は、３０Ｈｚより速い速度で、保持された画像をリフレッシュできる画像フレームバッファを含むことができる。アクティブＬＥＤピクセルアレイは、前記ヘッドランプ制御部に接続でき、前記画像フレームバッファ内に保持された前記画像により定められるパターン及び強度に従い光を投射し、スタンバイ画像バッファは、前記画像フレームバッファに接続でき、規定画像を保持する。
【０００６】
一実施形態では、前記車両のサポートする電源及び制御システムは、前記ヘッドランプ制御部に画像データを提供する。代替として、画像は、前記車両のサポートする電源及び制御システムから受信したデータに応答して、前記ヘッドランプ制御部により生成できる。動作中、前記ＬＥＤピクセルアレイは、対向車両に向けて放射される光を低減するよう向けられることができる。
【０００７】
幾つかの実施形態では、前記ＬＥＤピクセルアレイ内の各ピクセルは、アドレス可能であり、他の実施形態では、固定ピクセルグループ（例えば、５×５ピクセルブロック）がアドレス可能である。前記ＬＥＤピクセルアレイのアスペクト比は選択可能である。幾つかの実施形態では、前記ＬＥＤピクセルアレイは、静的ＬＥＤ照明に隣接して位置付けられる。
【０００８】
幾つかの実施形態では、前記フレームバッファは、パルス幅変調器を通じて前記アクティブＬＥＤピクセルアレイに接続される。高速道路の速度で移動している車両の照明要件の変化に適時に応答できるために、前記画像フレームバッファは、６０Ｈｚ以上の速度で保持された画像をリフレッシュできる。
【０００９】
別の実施形態では、（車両電源及びセンサシステムと関連して動作するのに適する）ヘッドランプ制御部は、３０Ｈｚより速い速度で保持された画像をリフレッシュできる画像フレームバッファを含むことができる。ヘッドランプ制御部は、前記画像フレームバッファ内に保持された前記画像により定められるパターン及び強度に従い光を投射する、前記ヘッドランプ制御部に接続された個別にアドレス可能なピクセルを有するアクティブＬＥＤピクセルアレイに接続できる。幾つかの実施形態では、スタンバイ画像バッファは、前記画像フレームバッファに接続され、規定画像を保持できる。
【００１０】
別の実施形態では、ヘッドランプ制御システムは、車両のサポートする電源、センサ、及び制御システムにデータバスを通じて接続可能なヘッドランプ制御部を含み、前記ヘッドランプ制御部は、３０Ｈｚより速い速度で保持された画像をリフレッシュできる画像フレームバッファを有する。アクティブＬＥＤピクセルアレイは、前記画像フレームバッファ内に保持された前記画像により定められるパターン及び強度に従い光を投射するために使用できる前記ヘッドランプ制御部に接続でされる。スタンバイ画像バッファは、前記画像フレームバッファに接続され、規定画像を保持できる。画像パターンは、前記車両のサポートする電源、センサ、及び制御システムからのセンサ情報に応答して、或いは、代替又は追加として、ローカルセンサ情報に少なくとも部分的に応答して、提供できる。
【００１１】
別の実施形態では、車両ヘッドランプシステムは、３０Ｈｚより速い速度で保持された画像をリフレッシュできる画像フレームバッファを有するヘッドランプ制御部を含み、前記画像フレームバッファへの画像は、車両のサポートする電源、センサ、及び制御システムにより車両データバスを通じて、及び画像生成モジュールによりローカルデータ接続を通じて、のうちの少なくとも１つにより提供される。前記ヘッドランプ制御部に接続された個別にアドレス可能ピクセルを有するアクティブＬＥＤピクセルアレイは、前記画像フレームバッファ内に保持された前記画像により定められるパターン及び強度に従い光を投射するために使用できる。画像パターンは、前記車両のサポートする電源、センサ、及び制御システムからのセンサ情報に応答して、或いは、代替又は追加として、ローカルセンサ情報に少なくとも部分的に応答して、提供できる。
【図面の簡単な説明】
【００１２】
【図１】アクティブヘッドランプを用いて、離散セクタの中の道路の照明を示す図である。
【００１３】
【図２】静的照明モジュールに隣接するよう位置付けられる動的ピクセルアドレス可能照明モジュールを示す。
【００１４】
【図３Ａ】アクティブヘッドランプを制御する車両ヘッドランプシステムの一実施形態である。
【００１５】
【図３Ｂ】車両処理出力への接続を有する、アクティブヘッドランプを制御する車両ヘッドランプシステムの一実施形態である。
【００１６】
【図４】アクティブヘッドランプ制御部の一実施形態の概略図である。
【発明を実施するための形態】
【００１７】
発光ピクセルアレイは、光分布の微調整された強度、空間、及び時間制御の利益を享受するアプリケーションをサポートし得る。これは、限定ではないが、ピクセルブロック又は個々のピクセルから放射される光の精細な空間的パターニングを含む。アプリケーションに依存して、放射される光は、スペクトル的に区別され、時間に渡り適応され、及び／又は環境に応答してよい。発光ピクセルアレイは、種々の強度、空間、又は時間的パターンの、予めプログラムされた光分布を提供してよい。放射される光は、少なくとも部分的に、受信されたセンサデータに基づいてよく、光無線通信のために使用されてよい。関連する光学系は、ピクセル、ピクセルブロック、又は装置レベルで区別されてよい。例示的な発光ピクセルアレイは、関連する共通光学系を有する高強度ピクセルの共通に制御される中央ブロックを有する装置を含む。一方で、端のピクセルは個別光学系を有してよい。発光ピクセルアレイによりサポートされる共通のアプリケーションは、ビデオ照明、自動車ヘッドライト、建造物及び領域照明、道路照明、及び情報ディスプレイを含む。
【００１８】
発光ピクセルアレイは、視覚的ディスプレイを向上するために又は照明コストを低減するために、建造物又は領域を選択的及び適応的に照明するために使用されてよい。更に、発光ピクセルアレイは、装飾的な動き又はビデオ効果のために建物の正面にメディアを投影するために使用されてよい。追跡センサ及び／又はカメラと関連して、歩行者の周辺の領域の選択的照明が可能であってよい。スペクトルの異なるピクセルは、照明の色温度を調整するために、及び波長固有の園芸照明をサポートするために、使用されてよい。
【００１９】
道路照明は、発光ピクセルアレイから大きな利益を享受し得る重要なアプリケーションである。単一のタイプの発光アレイは、種々の道路照明タイプを模倣するために使用されてよく、例えば、選択されたピクセルの適切な起動又は停止により、タイプＩ線形道路照明とタイプＩＶ半円形道路照明との間で切り替えることを可能にする。更に、道路照明コストは、環境条件又は使用時間に従い光ビーム強度又は分布を調整することにより、低減され得る。例えば、光強度及び分布の領域は、歩行者が存在しないときには低減されてよい。発光ピクセルアレイのピクセルがスペクトル的に異なる場合、光の色温度は、それぞれの昼間、夕方、又は夜間条件に従い調整されてよい。
【００２０】
発光アレイは、直視型又は投写型ディスプレイを必要とするアプリケーションをサポートするのにも適する。例えば、警告、緊急、又は情報標識は、全部、発光アレイを用いて表示又は投影されてよい。これは、例えば、色変化又は点滅する出口標識を投影することを可能にする。発光アレイは、膨大な数のピクセルで構成され、テキスト又は数値情報が提示されてよい。方向矢印又は同様の指示子も提供されてよい。
【００２１】
車両ヘッドランプは、多くのピクセル数及び高データリフレッシュレートを要求する発光アレイアプリケーションである。道路の選択された部分のみを積極的に照らす自動車ヘッドライトは、対向車の眩しさ又は目がくらむのに関連する問題を低減するために使用できる。センサとして赤外線カメラを用い、発光ピクセルアレイは、道路を照らす必要のあるピクセルだけを活性化し、一方で歩行者又は対向車のドライバの目をくらます可能性のあるピクセルを非活性化する。更に、道路以外にいる歩行者、動物又は標識は、ドライバの環境認識を向上するために選択的に照らされてよい。発光ピクセルアレイのピクセルがスペクトル的に異なる場合、光の色温度は、それぞれの昼間、夕方、又は夜間条件に従い調整されてよい。一部のピクセルは、光無線車車間通信のために使用されてよい。
【００２２】
発光アレイの１つの高価値アプリケーションは、図１に関して示される。図１は、車両の前にある領域１２０をテラス車両ヘッドランプシステムの可能性のある道路照明パターン１００を示す。図示のように、道路１１０は、左端１１２、右端１１４、及び中央線１１６を含む。本例では、２つの主要な領域、つまり下に向けられた静的照射領域１２２、及び動的照射領域１３０、が照らされる。領域１３０内の光強度は、動的に制御される。例えば、中央線１１６と左端１１２との間を移動している対向車（図示しない）がサブ領域１３２内へと移動するとき、光強度は低減され又は完全にオフに遮断できる。対向車がサブ領域１３４へ向かって動くとき、一連のサブ領域（図示しない）も、低減した光強度を有するように定義でき、安全でない目のくらみ又は眩しさの機会を低減する。理解されるように、他の実施形態では、光強度は、道路標識又は歩行者を目立たせるために増大でき、空間照明パターンは、例えば動的光追跡を可能にするために調整される。
【００２３】
図２は、図１に関して議論したような照明パターンを提供可能な光モジュール２００の位置付けを示す。LED光モジュール２２２は、１次又は次光学系と関連して又は独立に、レンズ又は反射器を含むＬＥＤＳを含むことができる。全体のデータ管理要件を低減するために、光モジュール２２２は、機能をオン／オフにすること、又は比較的少数の光強度レベルの間で切り替えることに限定されることができる。光強度のピクセルレベル制御は、必ずしもサポートされない。
【００２４】
ＬＥＤ光モジュール２２に隣接して、アクティブＬＥＤアレイが置かれる。ＬＥＤアレイは、ピクセル領域２０４及び代替として選択可能なＬＥＤ領域２０６と２０８とを備えるＣＭＯＳダイ２０２を含む。ピクセル領域２０４は、１０４個の行及び２０４個の列、１２．２×４．１６ミリメートルの領域に渡り分布する全部で３１６１６個のピクセルを有することができる。選択可能なＬＥＤ領域２０６及び２０８は、異なる車両ヘッドランプ又はアプリケーションに適する異なるアスペクト比のために選択可能である。例えば、一実施形態では、選択可能なＬＥＤ領域２０６は、１：３のアスペクト比を有し、８２個の行及び２４６個の列、１０．６×４ミリメートルの領域に渡り分布する全部で２０１７２個のピクセルを有することができる。代替として、選択可能なＬＥＤ領域２０８は、１：４のアスペクト比を有し、７１個の行及び２８４個の列、１２．１×３．２ミリメートルの領域に渡り分布する全部で２０１６４個のピクセルを有することができる。一実施形態では、ピクセルは、１０ビット強度範囲、及び６０Ｈｚ以上の標準的な動作リフレッシュレートを有する３０〜１００Ｈｚの間のリフレッシュレートを有するよう能動的に管理され得る。
【００２５】
図３Ａは、データバス（３０４）を含む、車両のサポートする電源及び制御システム（３０２）を含む車両ヘッドランプシステム３００の実施形態を示す。センサモジュール３０６は、データバス３０４に接続されて、環境条件（例えば、１日のうちの時間、雨、霧、周囲光レベル、等）、車両条件（駐車、移動中、速度、方向）、又は他の車両若しくは歩行者の存在／位置、に関するデータを提供する。個別ヘッドランプ制御部３３０は、車両のサポートする電源及び制御システムに接続できる。
【００２６】
車両ヘッドランプシステム３００は、電源入力フィルタ及び制御モジュール３１０を含むことができる。モジュール３１０は、排気を削減するため及び電源耐性（power  immunity）を提供するために、種々のフィルタをサポートできる。静電放電（Electrostatic  discharge  (ESD)）保護、負荷遮断保護、交流機電界減衰保護、及び極性反転保護も、モジュール３１０により提供できる。
【００２７】
フィルタリング済み電力は、ＬＥＤ  ＤＣ／ＤＣモジュール３１２に提供できる。モジュール３１２は、ＬＥＤに給電するためにのみ使用でき、標準的に、公称１３．２ボルトを有し、７〜１８ボルトの間の入力電圧を有する。出力電圧は、工場又はローカル較正、及び負荷、温度若しくは他の要因に起因する動作条件調整により決定されるように、ＬＥＤアレイ最大電圧より僅かに高く（例えば０．３ボルト）設定できる。
【００２８】
フィルタリング済み電力は、マイクロコントローラ３２２又はアクティブヘッドランプ３３０内のＣＭＯＳロジックに給電するために使用可能な論理ＬＤＯモジュール３１４にも提供される。
【００２９】
車両ヘッドランプシステム３００は、マイクロコントローラ３２２に接続された（例えば、ＵＡＲＴ又はＳＰＩインタフェースを備える）バストランシーバ３２０も含むことができる。マイクロコントローラ３２２は、センサモジュール３０６からのデータに基づき又はそれを含む車両入力を変換できる。変換された車両入力は、アクティブヘッドランプモジュール３２４内の画像バッファに転送可能なビデオ信号を含むことができる。更に、マイクロコントローラ３２２は、規定画像フレームをロードし、起動時に開／閉ピクセルをテストできる。一実施形態では、ＳＰＩインタフェースは、ＣＭＯＳ内の画像バッファをロードする。画像フレームは、完全なフレーム、差分又は部分的であってよい。他のマイクロコントローラ３２２の機能は、ダイ温度を含むＣＭＯＳ状態及び論理ＬＤＯ出力の制御インタフェースモニタを含むことができる。幾つかの実施形態では、ＬＥＤ  ＤＣ／ＤＣ出力は、ヘッドルームを最小化するよう動的に制御可能である。画像フレームデータを提供することに加えて、サイドマーカ又は方向指示灯と関連して相補的に使用されるような他のヘッドランプ機能、及び／又は昼間点灯走行の起動も制御できる。
【００３０】
図３Ｂは、車両センサ入力及びコマンド、並びにヘッドランプ若しくはローカルに搭載されたセンサに基づくコマンドを受け付け可能な、車両ヘッドランプシステム３３０の種々のコンポーネント及びモジュールの一実施形態を示す。図３Ｂに示すように、車両に搭載されたセンサは、リモートセンサ３４０及びセンサ処理の可能な電子処理モジュールを含むことができる。処理されたセンサデータは、決定アルゴリズムモジュール３４４内の種々の決定アルゴリズムに入力できる。決定アルゴリズムは、結果として、種々のセンサ入力条件、例えば周囲光レベル、１日のうちの時間、車両位置、他の車両の位置、道路条件、又は気象条件、に少なくとも部分的に基づき、コマンド命令又はパターン生成を生じる。理解されるように、決定アルゴリズムモジュール３４４に有用な情報は、ユーザのスマートフォンとの接続、車車間無線接続、又はリモートデータ若しくは情報ソースとの接続を含む他のソースからも提供できる。
【００３１】
決定アルゴリズムモジュール３４４の結果に基づき、画像生成モジュール３４６は、最終的に動的に調整可能であり且つ条件に適したアクティブ照明パターンを車両ヘッドランプに提供する画像パターンを提供する。この生成された画像パターンは、画像符号化モジュール３４８によりシリアル若しくは他の送信方式のために符号化され、高速バス３５０を介して画像復号モジュール３５４へ送信できる。一旦復号されると、画像パターンは、照射ピクセルの起動及び強度を導出するために、ｕＬＥＤモジュール３８０に提供される。
【００３２】
幾つかの動作モードでは、システム３３０は、ＣＡＮバス３５２の接続を通じて決定アルゴリズムモジュール３４４の接続によりヘッドランプ制御モジュール３７０に提供される命令を用いて、規定又は簡易画像パターンにより駆動できる。例えば、車両起動のときの初期パターンは、均一な低い光強度パターンであってよい。幾つかの実施形態では、ヘッドランプ制御モジュールは、センサ起動又は制御を含む他の機能を駆動するために使用できる。
【００３３】
他の可能な動作モードでは、システム３３０は、ローカルセンサ又はコマンドから導出される画像パターンにより駆動でき、ＣＡＮバス３５２又は高速バス３５０を介した入力を必要としない。例えば、ローカルセンサ３６０及びセンサ処理３６２の可能な電子処理モジュールが使用できる。処理されたセンサデータは、決定アルゴリズムモジュール３６４内の種々の決定アルゴリズムに入力できる。決定アルゴリズムは、結果として、種々のセンサ入力条件、例えば周囲光レベル、１日のうちの時間、車両位置、他の車両の位置、道路条件、又は気象条件、に少なくとも部分的に基づき、コマンド命令又はパターン生成を生じる。理解されるように、車両のサポートするリモートセンサ３４０と同様に、決定アルゴリズムモジュール３６４に有用な情報は、ユーザのスマートフォンとの接続、車車間無線接続、又はリモートデータ若しくは情報ソースとの接続を含む他のソースからも提供できる。
【００３４】
決定アルゴリズムモジュール３６４の結果に基づき、画像生成モジュール３６６は、最終的に動的に調整可能であり且つ条件に適したアクティブ照明パターンを車両ヘッドランプに提供する画像パターンを提供する。幾つかの実施形態では、この生成された画像パターンは、追加画像符号化／復号ステップを必要とせず、選択されたピクセルの照射を駆動するためにｕＬＥＤモジュール３８０に直接送信できる。
【００３５】
図４は、図３Ａのアクティブヘッドランプ３２４に関して説明したように、アクティブヘッドランプシステム４００の種々のコンポーネント及びモジュールの一実施形態を示す。図示のように、内部モジュールは、ＬＥＤパワー分布及びモニタモジュール４１０と、論理及び制御モジュール４２０と、を含む。
【００３６】
車両からの画像又は他のデータは、ＳＰＩインタフェース４１２を介して到来し得る。連続画像又はビデオデータは、画像フレームバッファ４１４に格納できる。画像データが利用可能ではない場合、スタンバイ画像バッファに保持された１つ以上のスタンバイ画像が、画像フレームバッファ４１４へと向けられることができる。このようなスタンバイ画像は、例えば、車両の法律上許可された低ビームヘッドランプ放射パターンに従う強度及び空間パターンを含むことができる。
【００３７】
動作中、画像内のピクセルは、ピクセルモジュール４３０内の対応するＬＥＤピクセルの応答を定めるために使用され、ＬＥＤピクセルの強度及び空間変調は、画像に基づく。幾つかの実施形態では、データレートの問題を低減するために、ピクセルのグループ（例えば、５×５ブロック）が、単一のブロックとして制御可能である。高速及び高データレート動作がサポートされ、連続画像からのピクセル値は、６０Ｈｚが標準的である、３０Ｈｚ〜１００Ｈｚの間のレートで画像シーケンスの中の連続フレームとしてロードできる。パルス幅変調モジュール４１８と関連して、ピクセルモジュール内の各ピクセルは、画像フレームバッファ４１４内に保持された画像に少なくとも部分的に依存するパターン及び強度で光を放射するよう動作できる。
【００３８】
一実施形態では、強度は、論理及び制御モジュール４２０並びにパルス幅変調モジュール４１８を用いてＬＥＤピクセル毎に適切な点灯時間及びパルス幅を設定することにより、別個に制御及び調整できる。これは、ＬＥＤピクセル起動の段階（staging）が、電力変動を低減し、及び周のピクセル診断機能を提供することを可能にする。
【００３９】
本発明の多くの変更及び他の実施形態は、前述の説明及び関連する図面において提示された教示の利益を有する当業者により考案されるだろう。従って、本発明は、開示された特定の実施形態に限定されないこと、及び変更及び実施形態が添付の特許請求の範囲に含まれることが意図されることが理解される。本発明の他の実施形態は、ここに具体的に開示されなかった要素／ステップがなくても実施され得ることも理解される。
【図１】
2021527933.tif 000003
【図２】
2021527933.tif 000004
【図３Ａ】
2021527933.tif 000005
【図３Ｂ】
2021527933.tif 000006
【図４】
2021527933.tif 000007
【手続補正書】
【提出日】令和3年4月26日(2021.4.26)
【手続補正１】
【補正対象書類名】明細書
【補正対象項目名】００２４
【補正方法】変更
【補正の内容】
【００２４】
ＬＥＤ光モジュール２２２に隣接して、アクティブＬＥＤアレイが置かれる。ＬＥＤアレイは、ピクセル領域２０４及び代替として選択可能なＬＥＤ領域２０６と２０８とを備えるＣＭＯＳダイ２０２を含む。ピクセル領域２０４は、１０４個の行及び２０４個の列、１２．２×４．１６ミリメートルの領域に渡り分布する全部で３１６１６個のピクセルを有することができる。選択可能なＬＥＤ領域２０６及び２０８は、異なる車両ヘッドランプ又はアプリケーションに適する異なるアスペクト比のために選択可能である。例えば、一実施形態では、選択可能なＬＥＤ領域２０６は、１：３のアスペクト比を有し、８２個の行及び２４６個の列、１０．６×４ミリメートルの領域に渡り分布する全部で２０１７２個のピクセルを有することができる。代替として、選択可能なＬＥＤ領域２０８は、１：４のアスペクト比を有し、７１個の行及び２８４個の列、１２．１×３．２ミリメートルの領域に渡り分布する全部で２０１６４個のピクセルを有することができる。一実施形態では、ピクセルは、１０ビット強度範囲、及び６０Ｈｚ以上の標準的な動作リフレッシュレートを有する３０〜１００Ｈｚの間のリフレッシュレートを有するよう能動的に管理され得る。
【手続補正２】
【補正対象書類名】明細書
【補正対象項目名】００２６
【補正方法】変更
【補正の内容】
【００２６】
車両ヘッドランプシステム３００は、電源入力フィルタ及び制御保護モジュール３１０を含むことができる。モジュール３１０は、排気を削減するため及び電源耐性（power  immunity）を提供するために、種々のフィルタをサポートできる。静電放電（Electrostatic  discharge  (ESD)）保護、負荷遮断保護、交流機電界減衰保護、及び極性反転保護も、モジュール３１０により提供できる。
【手続補正３】
【補正対象書類名】明細書
【補正対象項目名】００２８
【補正方法】変更
【補正の内容】
【００２８】
フィルタリング済み電力は、マイクロコントローラ３２２又はアクティブヘッドランプ３２４内のＣＭＯＳロジックに給電するために使用可能な論理ＬＤＯモジュール３１４にも提供される。
【手続補正４】
【補正対象書類名】明細書
【補正対象項目名】００３０
【補正方法】変更
【補正の内容】
【００３０】
図３Ｂは、車両センサ入力及びコマンド、並びにヘッドランプ若しくはローカルに搭載されたセンサに基づくコマンドを受け付け可能な、車両ヘッドランプシステム３３０の種々のコンポーネント及びモジュールの一実施形態を示す。図３Ｂに示すように、車両に搭載されたセンサ３３２は、リモートセンサ３４０及びセンサ処理の可能な電子処理モジュールを含むことができる。処理されたセンサデータは、決定アルゴリズムモジュール３４４内の種々の決定アルゴリズムに入力できる。決定アルゴリズムは、結果として、種々のセンサ入力条件、例えば周囲光レベル、１日のうちの時間、車両位置、他の車両の位置、道路条件、又は気象条件、に少なくとも部分的に基づき、コマンド命令又はパターン生成を生じる。理解されるように、決定アルゴリズムモジュール３４４に有用な情報は、ユーザのスマートフォンとの接続、車車間無線接続、又はリモートデータ若しくは情報ソースとの接続を含む他のソースからも提供できる。
【手続補正５】
【補正対象書類名】明細書
【補正対象項目名】００３６
【補正方法】変更
【補正の内容】
【００３６】
車両からの画像又は他のデータは、ＳＰＩインタフェース４１２を介して到来し得る。連続画像又はビデオデータは、画像フレームバッファ４１４に格納できる。画像データが利用可能ではない場合、スタンバイ画像バッファ４１６に保持された１つ以上のスタンバイ画像が、画像フレームバッファ４１４へと向けられることができる。このようなスタンバイ画像は、例えば、車両の法律上許可された低ビームヘッドランプ放射パターンに従う強度及び空間パターンを含むことができる。
【手続補正６】
【補正対象書類名】特許請求の範囲
【補正対象項目名】全文
【補正方法】変更
【補正の内容】
【特許請求の範囲】
【請求項１】
車両ヘッドランプシステムであって、
データバスを含む、車両のサポートする電源及び制御システムと、
前記データバスに接続されたセンサモジュールと、
前記データバスを通じて、前記車両のサポートする電源及び制御システムと前記センサモジュールとに接続された個別ヘッドランプ制御部であって、前記ヘッドランプ制御部は、保持された画像を３０Ｈｚより速い速度でリフレッシュする画像フレームバッファを含む、個別ヘッドランプ制御部と、
前記ヘッドランプ制御部に接続され、前記画像フレームバッファ内に保持された画像により定められるパターン及び強度に従い光を投射するアクティブＬＥＤピクセルアレイと、
前記画像フレームバッファに接続され、規定画像を保持するスタンバイ画像バッファと、
を含む車両ヘッドランプシステム。
【請求項２】
前記車両のサポートする電源及び制御システムは、前記ヘッドランプ制御部に画像データを提供する、請求項１に記載の車両ヘッドランプシステム。
【請求項３】
前記センサモジュールが、対向車両を識別し、及び前記ヘッドランプ制御部に送信されるべき画像を選択するために使用される、請求項１又は２に記載の車両ヘッドランプシステム。
【請求項４】
前記ＬＥＤピクセルアレイは、対向車両に向けて放射される光を低減するよう向けられることができる、請求項１〜３の１つ以上に記載の車両ヘッドランプシステム。
【請求項５】
前記ＬＥＤピクセルアレイ内の各ピクセルは、アドレス可能である、請求項１〜４の１つ以上に記載の車両ヘッドランプシステム。
【請求項６】
前記ＬＥＤピクセルアレイのアスペクト比は、選択可能である、請求項１〜５の１つ以上に記載の車両ヘッドランプシステム。
【請求項７】
前記ＬＥＤピクセルアレイは、静的ＬＥＤ照明に隣接して位置付けられる、請求項１〜６の１つ以上に記載の車両ヘッドランプシステム。
【請求項８】
前記画像フレームバッファは、パルス幅変調器を通じて前記アクティブＬＥＤピクセルアレイに接続される、請求項１〜７の１つ以上に記載の車両ヘッドランプシステム。
【請求項９】
前記画像フレームバッファは、６０Ｈｚ以上の速度で保持された画像をリフレッシュする、請求項１〜８の１つ以上に記載の車両ヘッドランプシステム。
【請求項１０】
車両ヘッドランプシステムであって、
保持された画像を３０Ｈｚより速い速度でリフレッシュする画像フレームバッファを含むヘッドランプ制御部と、
前記ヘッドランプ制御部に接続された個々にアドレス可能なピクセルを備え、前記画像フレームバッファ内に保持された前記画像により定められるパターン及び強度に従い光を投射するアクティブＬＥＤピクセルアレイと、
前記画像フレームバッファに接続され、規定画像を保持するスタンバイ画像バッファと、
を含む車両ヘッドランプシステム。
【請求項１１】
前記ヘッドランプ制御部は、データバスを通じて、前記画像フレームバッファに少なくとも幾つかの画像を提供する、車両のサポートする電源及び制御システムに取り付けられる、請求項１０に記載の車両ヘッドランプシステム。
【請求項１２】
車両のサポートする電源及び制御システムと関連して使用可能なセンサモジュールであって、対向車両の位置を識別する、センサモジュール、を更に含む請求項１０又は１１に記載の車両ヘッドランプシステム。
【請求項１３】
前記ＬＥＤピクセルアレイ内の各ピクセルは、アドレス可能である、請求項１０〜１２の１つ以上に記載の車両ヘッドランプシステム。
【請求項１４】
前記ＬＥＤピクセルアレイのアスペクト比は、選択可能である、請求項１０〜１３の１つ以上に記載の車両ヘッドランプシステム。
【請求項１５】
前記ＬＥＤピクセルアレイは、静的ＬＥＤ照明に隣接して位置付けられる、請求項１０〜１４の１つ以上に記載の車両ヘッドランプシステム。
【請求項１６】
前記画像フレームバッファは、パルス幅変調器を通じて前記アクティブＬＥＤピクセルアレイに接続される、請求項１０〜１５の１つ以上に記載の車両ヘッドランプシステム。
【請求項１７】
前記画像フレームバッファは、６０Ｈｚ以上の速度で保持された画像をリフレッシュする、請求項１０〜１６の１つ以上に記載の車両ヘッドランプシステム。
【国際調査報告】
2021527933.tif 000008
2021527933.tif 000009